(57)【要約】【課題】  毛を捕集し易く、保持し易いと共に、保持した毛をブラシから除去し易いペット用毛捕集ブラシを提供する。【解決手段】  ペット用毛捕集ブラシ１１は、その表面１７が平面状のベース１６と、ベース１６に固定され、ＰＥＴ材料の円柱形状を有するブラシ４１からなるブラシ群３１とから構成される。ベース１６は、ベース本体と、外方全面が平面状のハニカム形状を有するシート体２２と、シート体２２の内方側全面に一体的に固定され、シート体２２側と対向する全面でベース本体に一体的に固定される固定シート２５とから構成される。ブラシ４１の長さは、５ｍｍに設定される。ブラシ４１の断面積にＰＥＴの曲げ弾性率を掛けた値は、０．０３２８ｋｇｆである。これにより、ブラシ４１によって、動物の毛を掻き出し易くなり、ペット用毛捕集ブラシ１１による毛の捕集力が向上する。【選択図】  図２
2015202081.tif 000002
【特許請求の範囲】
【請求項１】
ペット用毛捕集ブラシであって、
その表面が平面状のベースと、
前記ベースに根元が固定される、合成樹脂製のブラシ群とを備え、
前記ブラシ群を構成するブラシの各々が、一定断面の棒形状を有し、
前記ベースの前記表面からの長さが、５ｍｍ〜１５ｍｍであり、
その断面積にその曲げ弾性率を掛けた値が、０．０３２８ｋｇｆ〜９．１１０６ｋｇｆである、ペット用毛捕集ブラシ。
【請求項２】
前記ブラシの断面は円形状を有し、その直径は０．０１ｍｍ〜０．１ｍｍであり、
前記ブラシ群の内、隣接する前記ブラシの隙間は、０．２ｍｍ〜２ｍｍに設定される、請求項１記載のペット用毛捕集ブラシ。
【請求項３】
前記ブラシ群は、前記ブラシが複数集まってなる毛束が複数所定間隔で設けられ、
前記毛束に含まれる前記ブラシの本数は、前記所定間隔の方向に対して３本〜１０本であり、
前記所定間隔を前記ブラシの長さで割った値が、０．６７〜１．２である、請求項２記載のペット用毛捕集ブラシ。
【請求項４】
前記ベースは、
ベース本体と、
前記ベース本体に一体的に取り付けられ、外方全面が平面状のハニカム形状のシート体とからなり、
前記ブラシ群は、前記シート体に固定される、請求項３記載のペット用毛捕集ブラシ。
【発明の詳細な説明】
【技術分野】
【０００１】
この発明はペット用毛捕集ブラシに関し、特に愛玩動物（ペット）の毛であるアンダーコートを捕集するために使用されるペット用毛捕集ブラシに関するものである。
【背景技術】
【０００２】
図８は、特許文献１で開示された従来の動物用除毛器具の正面図であり、図９は、図８で示した動物用除毛器具の櫛部の底面模式図である。
【０００３】
これらの図を参照して、動物用除毛器具６１は、動物の毛を捕集するために使用され、正面視略台形状の把持部６３と、把持部６３の底面に設置され、把持部６３と対向する一端で山形状の短櫛歯６６及び短櫛歯６７が連続して形成された櫛部６５とから構成される。
【０００４】
図９を参照して、櫛部６５の短櫛歯６６ａ〜６６ｃの各々は、正面側に傾斜しており、櫛部６５の短櫛歯６７ａ〜６７ｃの各々は、背面側に傾斜している。
【０００５】
図１０は、図８で示した動物用除毛器具の使用状態を示す斜視模式図である。
【０００６】
図を参照して、動物用除毛器具６１の櫛部６５の短櫛歯６６及び短櫛歯６７を動物の体に沿わして、毛を梳くことで、動物用除毛器具６１を使用する。その際、櫛部６５の短櫛歯６６及び短櫛歯６７の各々は、前述したように傾斜しているので、動物の毛７０が短櫛歯６６ｂと短櫛歯６７ｃとの間に入りこみ易くなっている。この状態で、動物用除毛器具６１を梳いて動かすことで、摩擦により動物の毛７０を捕集することができる。
【先行技術文献】
【特許文献】
【０００７】
【特許文献１】特開２００４−１５９５６８号公報
【特許文献２】特開２０１０−２１３６６６号公報
【発明の概要】
【発明が解決しようとする課題】
【０００８】
上記のような従来の動物用除毛器具６１では、櫛部６５の短櫛歯６６及び短櫛歯６７が山形状であり、動物の表皮近くにある細かなアンダーコートまでは届きにくく、アンダーコートを捕集しにくいものであった。又、動物の毛を十分捕集するには、強い摩擦力を必要とするものであった。
【０００９】
そこで、次に示す他の動物用抜け毛捕集用具が提案されている。
【００１０】
図１１は、特許文献２で開示された従来の他の動物用抜け毛捕集用具の正面図であり、図１２は、図１１で示した動物用抜け毛捕集用具の底面図である。
【００１１】
これらの図を参照して、動物用抜け毛捕集用具７２は、矩形状の平坦面７６を有する支持部７５と、平坦面７６に設置され、複数のブラシピン８１からなる掻き取り部７９とから構成される。
【００１２】
図１２を参照して、動物用抜け毛捕集用具７２の掻き取り部７９は、一列に重なって設置されたブラシピン８４ａ〜８４ｅからなるブラシ束８１及びブラシ束８２から構成されている。ブラシ束８１とブラシ束８２との間に捕集部７８が形成されるように、ブラシ束８１とブラシ束８２とは、八の字形状で平坦面７６に長手方向に連続して設置されている。
【００１３】
使用に際して、動物用抜け毛捕集用具７２の掻き取り部７９を、平坦面７６の短手方向へ動物の体に沿わして、毛を梳くことで、動物用抜け毛捕集用具７２を使用する。動物用抜け毛捕集用具７２の掻き取り部７９は、ブラシピン８４からなるので、動物の表皮まで届き、アンダーコートを捕集することができる。そして、捕集したアンダーコートをブラシ束８１とブラシ束８２との間に形成された捕集部７８で保持するものである。
【００１４】
しかしながら、この動物用抜け毛捕集用具７２では、ブラシピン８４ａ〜８４ｅの各々が一列に重なって設置されているため、捕集する際にアンダーコートがブラシピン８４ａ〜８４ｅの各々の間に挟まり、ブラシピン８４ａ〜８４ｅから毛を除去しにくいものになっていた。
【００１５】
この発明は、上記のような課題を解決するためになされたもので、毛を捕集し易く、保持し易いと共に、保持した毛をブラシから除去し易いペット用毛捕集ブラシを提供することを目的とする。
【課題を解決するための手段】
【００１６】
上記の目的を達成するために、請求項１記載の発明は、ペット用毛捕集ブラシであって、その表面が平面状のベースと、ベースに根元が固定される、合成樹脂製のブラシ群とを備え、ブラシ群を構成するブラシの各々が、一定断面の棒形状を有し、ベースの表面からの長さが、５ｍｍ〜１５ｍｍであり、その断面積にその曲げ弾性率を掛けた値が、０．０３２８ｋｇｆ〜９．１１０６ｋｇｆであるものである。
【００１７】
このように構成すると、毛を掻き出し易くなる。
【００１８】
請求項２記載の発明は、請求項１記載の発明の構成において、ブラシの断面は円形状を有し、その直径は０．０１ｍｍ〜０．１ｍｍであり、ブラシ群の内、隣接するブラシの隙間は、０．２ｍｍ〜２ｍｍに設定されるものである。
【００１９】
このように構成すると、ブラシに毛が絡み易くなる。
【００２０】
請求項３記載の発明は、請求項２記載の発明の構成において、ブラシ群は、ブラシが複数集まってなる毛束が複数所定間隔で設けられ、毛束に含まれるブラシの本数は、所定間隔の方向に対して３本〜１０本であり、所定間隔をブラシの長さで割った値が、０．６７〜１．２であるものである。
【００２１】
このように構成すると、ブラシから毛を除去し易くなる。
【００２２】
請求項４記載の発明は、請求項３記載の発明の構成において、ベースは、ベース本体と、ベース本体に一体的に取り付けられ、外方全面が平面状のハニカム形状のシート体とからなり、ブラシ群は、シート体に固定されるものである。
【００２３】
このように構成すると、ブラシ群をどの方向に梳いても、毛束の所定間隔が存在することになる。
【発明の効果】
【００２４】
以上説明したように、請求項１記載の発明は、毛を掻き出し易くなるため、ペット用毛捕集ブラシによる毛の捕集力が向上する。
【００２５】
請求項２記載の発明は、請求項１記載の発明の効果に加えて、ブラシに毛が絡み易くなるため、ペット用毛捕集ブラシによる毛の保持力が向上する。
【００２６】
請求項３記載の発明は、請求項２記載の発明の効果に加えて、ブラシから毛を除去し易くなるため、毛の除去効率が向上する。
【００２７】
請求項４記載の発明は、請求項３記載の発明の効果に加えて、ブラシ群をどの方向に梳いても、毛束の所定間隔が存在することになるため、ペット用毛捕集ブラシの使用勝手が向上する。
【図面の簡単な説明】
【００２８】
【図１】この発明の第１の実施の形態によるペット用毛捕集ブラシの概略平面図である。
【図２】図１で示したペット用毛捕集ブラシの概略底面図である。
【図３】図１で示したペット用毛捕集ブラシの概略正面図である。
【図４】図２で示した“Ｘ”部分の拡大図であって、シート体におけるブラシ群の固定状態を示す図である。
【図５】図４で示したＶ−Ｖラインから見た概略端面図である。
【図６】ペット用毛捕集ブラシを構成する１本のブラシの概略端面図であって、図５に対応した図である。
【図７】一列に並んだブラシ群からなるペット用毛捕集ブラシの概略端面図であって、図５に対応した図である。
【図８】特許文献１で開示された従来の動物用除毛器具の正面図である。
【図９】図８で示した動物用除毛器具の櫛部の底面模式図である。
【図１０】図８で示した動物用除毛器具の使用状態を示す斜視模式図である。
【図１１】特許文献２で開示された従来の他の動物用抜け毛捕集用具の正面図である。
【図１２】図１１で示した動物用抜け毛捕集用具の底面図である。
【発明を実施するための形態】
【００２９】
図１は、この発明の第１の実施の形態によるペット用毛捕集ブラシの概略平面図であり、図２は、図１で示したペット用毛捕集ブラシの概略底面図であり、図３は、図１で示したペット用毛捕集ブラシの概略正面図であり、図４は、図２で示した“Ｘ”部分の拡大図であって、シート体におけるブラシ群の固定状態を示す図であり、図５は、図４で示したＶ−Ｖラインから見た概略端面図である。
【００３０】
これらの図を参照して、ペット用毛捕集ブラシ１１は、動物の毛を捕集するために使用され、平面視において猫の手に似せた形状を有し、その表面１７が平面状のベース１６と、ベース１６に固定されたポリエチレンテレフタレート（ＰＥＴ）からなる円柱形状を有する複数のブラシ４１からなるブラシ群３１とから構成される。
【００３１】
ベース１６は、ゴム材料からなるベース本体１８と、外方全面が平面状のハニカム形状を有するように合成樹脂を編み込んで形成されたシート体２２と、シート体２２の内方側全面に一体的に固定され、シート体２２側と対向する全面でベース本体１８に一体的に固定される固定シート２５とから構成される。このように構成した理由については、後述する。
【００３２】
図５を参照して、ブラシ群３１を構成するブラシ４１は、その根元４２がベース１６のシート体２２に固定されている。ブラシ４１の長さＨは、シート体２２の表面１７から外方側端部までの長さであり、５ｍｍに設定されている。又、ブラシ４１は円柱形状を有しているので、その断面は円形状である。このブラシ４１の断面における直径２ｒ（半径ｒ）は、０．０１２ｍｍに設定されている。ここで、ブラシ４１を形成するＰＥＴの曲げ弾性率Ｅは、２９０ｋｇｆ／ｍｍ２である。すなわち、ブラシ４１の断面積にＰＥＴの曲げ弾性率Ｅを掛けた値は、０．０３２８ｋｇｆである。このように構成することにより、ブラシ４１の一定のしなりによって、動物のアンダーコートを掻き出し易くなるため、ペット用毛捕集ブラシ１１によるアンダーコートの捕集力が向上する。
【００３３】
又、ブラシ群３１の内、例えば図５で示した隣接するブラシ４１ｂとブラシ４１ｃとは隙間４５が設けられている。この隙間４５の長さＬ１は、ブラシ４１ｂの断面中心とブラシ４１ｃの断面中心との距離であり、０．３ｍｍに設定されている。尚、この他の隣接するブラシ４１の各々との隙間４５の長さも同様に０．３ｍｍに設定されている。このように構成することにより、ペット用毛捕集ブラシ１１で毛を梳く際に、ブラシ４１にアンダーコートが絡み易くなるので、ペット用毛捕集ブラシ１１によるアンダーコートの保持力が向上する。
【００３４】
更に、３本のブラシ４１ａ〜４１ｃが集まってなる毛束３５ａと、３本のブラシ４１ｄ〜４１ｆが集まってなる毛束３５ｂとは、所定間隔３６が設けられている。この所定間隔３６の長さＬ２は、ブラシ４１ｃの断面中心とブラシ４１ｄの断面中心との距離である。所定間隔３６の長さＬ２をブラシ４１の長さＨで割った値は、０．６７に設定されている。このように構成することにより、動物から捕集してブラシ４１に保持している毛を、ブラシ４１から除去し易くなる。
【００３５】
ここで、ペット用毛捕集ブラシ１１の使用状態について説明する。
【００３６】
図２を参照して、ペット用毛捕集ブラシ１１のブラシ群３１を、動物の体に沿わせるようにして、矢印の方向へ毛を梳くことで、ペット用毛捕集ブラシ１１を使用する。ペット用毛捕集ブラシ１１のブラシ群３１は、ブラシ４１からなるので、動物の表皮まで届き、アンダーコートを捕集することができる。そして、捕集したアンダーコートを、図５に示すように隣接するブラシ４１間の隙間４５及び毛束３５間の所定間隔３６で保持する。
【００３７】
又、ペット用毛捕集ブラシ１１のブラシ群３１を、矢印以外のどの方向へ毛を梳いても、図５で示した毛束３５に所定間隔３６が存在するように、シート体２２がハニカム形状に形成されている。これにより、ペット用毛捕集ブラシ１１の使用勝手が向上することになる。
【００３８】
次に、図５を参照して、ペット用毛捕集ブラシ１１のブラシ４１ａ〜４１ｃに対して、例えば親指の腹部分をブラシ４１ａ〜４１ｃの外方側端部に押さえつけて、矢印の方向に親指を動かす。すると、ブラシ４１ａ〜４１ｃは二点鎖線で示した状態に屈曲することになる。そして、親指をそのままの方向へ動かすことで、ブラシ４１ａ〜４１ｃから親指は離れることになり、これによりブラシ４１ａ〜４１ｃは実線で示した元の状態に戻ることになる。親指を続いて動かすことで、隣接するブラシ４１ｄ〜４１ｆにも同様の動作を繰り返すことになる。この動作により、隣接するブラシ４１間の隙間４５で保持しているアンダーコートが、毛束３５間の所定間隔３６を介してブラシ４１から除去されることになる。尚、アンダーコートが除去し易くなるように、毛束３５におけるブラシ４１の本数及び所定間隔３６が設定されている。
【００３９】
図１を参照して、ペット用毛捕集ブラシ１１を用いて動物の毛を捕集及び除去する際にカーペット等に落ちた毛を、ペット用毛捕集ブラシ１１のベース本体１８をカーペット等に当接させて集める。このとき、ベース本体１８はゴム材料から形成されているので、落ちた毛を効率良く集めることができるようになっている。
【００４０】
尚、上記の実施の形態では、ペット用毛捕集ブラシのブラシ群は、ポリエチレンテレフタレート（ＰＥＴ）からなるものであったが、例えばポリエチレン、ポリプロピレン及びナイロン等の他の合成樹脂からなるものであっても良い。
【００４１】
又、上記の実施の形態では、ペット用毛捕集ブラシのブラシは、円柱形状を有していたが、一定断面を有する棒形状であれば他の形状であっても良い。
【００４２】
更に、上記の実施の形態では、ベースは、ベース本体、シート体及び固定シートからなるものであったが、固定シートは無く、ベース本体にシート体が一体的に取り付けられたものであっても良い。又は、ベースは、その表面が平面状となるものであれば、これら以外から形成されたものであっても良い。
【００４３】
更に、上記の実施の形態では、ベース本体は、ゴム材料からなるものであったが、それ以外の材料からなるものであっても良い。
【００４４】
更に、上記の実施の形態では、シート体は、合成樹脂を編み込んで形成されたものであったが、例えば平板状の合成樹脂シートで形成されたものであるように、ブラシ群の根元を固定するものであれば、他のものから形成されていても良い。
【００４５】
更に、上記の実施の形態では、シート体は、外方全面が平面状のハニカム形状を有するものであったが、毛束の所定間隔をブラシの長さで割った値が、０．６７〜１．２となるものであれば他の形状であっても良い。又は、それ以外の値となる形状であっても良い。
【００４６】
更に、上記の実施の形態では、ブラシの長さは、５ｍｍに設定されていたが、以下の実施例で示すように５ｍｍ〜１５ｍｍであれば良い。
【００４７】
更に、上記の実施の形態では、ブラシの断面の直径は、０．０１２ｍｍに設定されていたが、以下の実施例で示すように０．０１ｍｍ〜０．１ｍｍであれば良い。又は、それ以外の値であっても良い。
【００４８】
更に、上記の実施の形態では、ブラシの断面積にその曲げ弾性率を掛けた値は、０．０３２８ｋｇｆであったが、以下の実施例で示すように０．０３２８ｋｇｆ〜９．１１０６ｋｇｆであれば良い。
【００４９】
更に、上記の実施の形態では、隣接するブラシの隙間は、０．３ｍｍに設定されていたが、以下の実施例で示すように０．２ｍｍ〜２ｍｍであれば良い。又は、それ以外の値であっても良い。
【００５０】
更に、上記の実施の形態では、毛束は、３本のブラシからなるものであったが、以下の実施例で示すように所定間隔の方向に対して３本〜１０本であれば良い。又は、それ以外の本数であっても良い。
【００５１】
更に、上記の実施の形態では、ブラシ群は、複数のブラシが集まってなる毛束が所定間隔で設けられたものであったが、所定間隔は設けられていなくても良い。
【００５２】
更に、上記の実施の形態では、所定間隔をブラシの長さで割った値は、０．６７に設定されていたが、以下の実施例で示すように０．６７〜１．２であれば良い。又は、それ以外の値であっても良い。
【００５３】
更に、上記の実施の形態では、ペット用毛捕集ブラシは、猫のアンダーコートを捕集するために主に使用されるものであったが、それ以外の動物の毛を捕集するものとして使用されても良い。
【実施例】
【００５４】
上記の実施の形態で示したペット用毛捕集ブラシ１１の効果を検証するために、毛の捕集評価、毛の保持評価及び毛の除去評価を行った。ここで、実験対象とした動物は、短毛種でアンダーコートを有する３歳の日本猫である。
Ｉ．毛の捕集評価
１．実験条件
まず、ペット用毛捕集ブラシの毛の捕集評価のための実験条件を示す。
【００５５】
図６は、ペット用毛捕集ブラシを構成する１本のブラシの概略端面図であって、図５に対応した図である。
【００５６】
尚、この第１の実施例によるペット用毛捕集ブラシ１２は、上述の第１の実施の形態によるペット用毛捕集ブラシ１１と基本的な構成は同一であるため、ここではその相違点を中心に説明する。
【００５７】
図を参照して、ペット用毛捕集ブラシ１２のブラシ群３１として、ここではＰＥＴで形成された１本のブラシ４１ｇから構成されている。
【００５８】
ここで、実験の前提としてブラシ４１ｇの断面の直径２ｒ（半径ｒ）毎における、断面積πｒ２にＰＥＴの曲げ弾性率Ｅを掛けた値を、次の表１に示す。
【００５９】
【表１】
2015202081.tif 000003
後述の実験においては、この表１で示したブラシの断面積πｒ２にＰＥＴの曲げ弾性率Ｅを掛けた値（ブラシの断面積×曲げ弾性率）毎に評価を行う。
２．評価方法
図６で示したペット用毛捕集ブラシ１２を用いて、日本猫の体の一定箇所を５回梳いて、日本猫のアンダーコートが捕集できるかを評価する。５回梳いた後に、アンダーコートが日本猫の体表面まで掻き出されたなら毛の捕集評価を「○」として、アンダーコートが日本猫の体表面まで掻き出されなかったなら毛の捕集評価を「×」とすることにした。これにより、ブラシ単体の撓み特性に基づく毛の捕集し易さを評価するものである。ペット用毛捕集ブラシ１２のブラシ４１ｇの長さＨが、３ｍｍ、５ｍｍ、８ｍｍ、１５ｍｍ及び２０ｍｍの各々におけるブラシ４１ｇの断面積×曲げ弾性率毎に評価を行った。
３．実験結果
実験の結果を、次の表２に示す。
【００６０】
【表２】
2015202081.tif 000004
この表２から、ペット用毛捕集ブラシ１２のブラシ４１ｇの長さＨが、３ｍｍの場合には、アンダーコートのある日本猫の表皮までブラシ４１ｇが届かず、毛の捕集評価が全て「×」となることが分かった。
【００６１】
又、ペット用毛捕集ブラシ１２のブラシ４１ｇの長さＨが、２０ｍｍの場合には、ブラシ４１ｇ自体が大きく撓むことになり、アンダーコートを掻き出すことができず、毛の捕集評価が全て「×」となることが分かった。
４．評価
表２の毛の捕集評価から、ペット用毛捕集ブラシ１２のブラシ４１ｇの長さＨは５ｍｍ、８ｍｍ及び１５ｍｍの各々における、ブラシの断面積×曲げ弾性率が０．０３２８ｋｇｆ、０．０９１１ｋｇｆ、２．２７７７ｋｇｆ、９．１１０６ｋｇｆである場合には毛の捕集評価が全て「○」となることが分かった。
【００６２】
よって、毛の捕集の観点から、ペット用毛捕集ブラシを構成するブラシ単体としては、その長さＨは、５ｍｍ〜１５ｍｍであり、ブラシの断面積×曲げ弾性率は、０．０３２８ｋｇｆ〜９．１１０６ｋｇｆであることが好ましいことが分かった。
ＩＩ．毛の保持評価
１．実験条件
まず、ペット用毛捕集ブラシの毛の保持評価のための実験条件を示す。
【００６３】
図７は、一列に並んだブラシ群からなるペット用毛捕集ブラシの概略端面図であって、図５に対応した図である。
【００６４】
尚、この第２の実施例によるペット用毛捕集ブラシ１３は、上述の第１の実施の形態によるペット用毛捕集ブラシ１１と基本的な構成は同一であるため、ここではその相違点を中心に説明する。
【００６５】
図を参照して、ペット用毛捕集ブラシ１３のブラシ群３１は、ＰＥＴで形成され、一列に並んだ複数本のブラシ４１から構成されている。隣接するブラシ４１間の隙間４５の各々の長さＬ１は、図７で示したブラシ４１ｈの断面中心とブラシ４１ｉの断面中心との距離と同一に設定されている。
【００６６】
ここで、ペット用毛捕集ブラシ１３のブラシ４１の断面の直径２ｒは、０．０１２ｍｍである場合で評価を行う。すなわち、ペット用毛捕集ブラシ１３のブラシの断面積×曲げ弾性率が、０．０３２８ｋｇｆの場合である。
２．評価方法
ペット用毛捕集ブラシ１３を用いて、日本猫の体の一定箇所を５回梳いたときに、日本猫のアンダーコートが保持できているかを評価する。５回梳いた後に、所定範囲にあるブラシ４１の隙間４５に、アンダーコートが３本以上保持できているなら毛の保持評価を「○」として、アンダーコートが３本未満しか保持できていなかったなら毛の保持評価を「×」とすることにした。これにより、ペット用毛捕集ブラシ１３の毛の保持し易さを評価するものである。尚、所定範囲とは、図７で示したブラシ４１ｈの断面中心を起点として隣接するブラシのある方向に１０ｍｍにおさまる範囲とした。
【００６７】
ペット用毛捕集ブラシ１３のブラシ４１の長さＨが、５ｍｍ、８ｍｍ、１５ｍｍの各々におけるブラシ４１の隙間４５（０．１ｍｍ〜５ｍｍ）毎に評価を行った。
３．実験結果
実験の結果を、次の表３に示す。
【００６８】
【表３】
2015202081.tif 000005
この表３から、ペット用毛捕集ブラシ１３のブラシ４１の長さＨが、５ｍｍ、８ｍｍ及び１５ｍｍの各々において、ブラシ４１の隙間４５が０．１ｍｍ、３ｍｍ及び５ｍｍである場合の毛の保持評価が全て「×」となることが分かった。特に、ブラシ４１の隙間４５が３ｍｍ及び５ｍｍの場合には、捕集したアンダーコートをブラシ４１に保持できず、日本猫の体についたままとなることが分かった。
４．評価
表３の毛の保持評価から、ペット用毛捕集ブラシ１３のブラシ４１の長さＨは５ｍｍ、８ｍｍ及び１５ｍｍの各々における、ブラシ４１の隙間４５が０．２ｍｍ、０．３ｍｍ、０．５ｍｍ、０．８ｍｍ及び２ｍｍである場合には毛の保持評価が全て「○」となることが分かった。
【００６９】
よって、毛の保持の観点から、ペット用毛捕集ブラシ１３のブラシ４１の長さＨが５ｍｍ〜１５ｍｍのときに、ブラシ４１の隙間４５は、０．２ｍｍ〜２ｍｍであることが好ましいことが分かった。
ＩＩＩ．毛の除去評価
１．実験条件
まず、ペット用毛捕集ブラシの毛の除去評価のための実験条件を示す。
【００７０】
この第３の実施例によるペット用毛捕集ブラシ１４は、上述の第１の実施の形態によるペット用毛捕集ブラシ１１と基本的な構成は同一であるため、ここではその相違点を中心に説明する。
【００７１】
図５を参照して、この第３の実施例によるペット用毛捕集ブラシ１４のブラシ群３１は、ＰＥＴで形成され、一列に並んだ複数本のブラシ４１から構成されている。すなわち、ペット用毛捕集ブラシ１４は、図４で示したペット用毛捕集ブラシ１１において、Ｖ−Ｖライン以外にあるブラシ群３１を削除したものに対応する。よって、ペット用毛捕集ブラシ１４は、図５においては、ペット用毛捕集ブラシ１１と同一に表れる。
【００７２】
ここで、ペット用毛捕集ブラシ１４のブラシ４１の断面の直径２ｒは、０．０１２ｍｍである場合で評価を行う。すなわち、ペット用毛捕集ブラシ１４のブラシの断面積×曲げ弾性率が、０．０３２８ｋｇｆの場合である。
【００７３】
又、ペット用毛捕集ブラシ１４のブラシ４１間の隙間４５は、０．３ｍｍである場合について評価を行う。
２．評価方法
ペット用毛捕集ブラシ１４のブラシ４１の外方側端部に対して、親指の腹部分を押さえつけて、矢印の方向に親指を動かす動作を１５回繰り返したときに、動作前にブラシ４１に保持していたアンダーコートの７割以上の本数が除去できたなら毛の除去評価を「○」として、アンダーコートの５割以上７割未満の本数が除去できたなら毛の除去評価を「△」として、アンダーコートの５割未満の本数が除去できたなら毛の除去評価を「×」とした。これにより、ペット用毛捕集ブラシ１４の毛の除去し易さを評価するものである。
【００７４】
ペット用毛捕集ブラシ１４のブラシ４１の長さＨが、５ｍｍ、８ｍｍ、１５ｍｍの各々に対して別々の表で評価を行った。これらの表の各々に対して、毛束３５におけるブラシ４１の本数においてブラシ４１の長さＨに対する所定間隔３６の比率（所定間隔３６をブラシ４１の長さＨで割った値）毎で評価を行った。
３．実験結果
まず、ペット用毛捕集ブラシ１４のブラシ４１の長さＨが５ｍｍのときの実験の結果を、次の表４に示す。
【００７５】
【表４】
2015202081.tif 000006
次に、ペット用毛捕集ブラシ１４のブラシ４１の長さＨが８ｍｍのときの実験の結果を、次の表５に示す。
【００７６】
【表５】
2015202081.tif 000007
次に、ペット用毛捕集ブラシ１４のブラシ４１の長さＨが１５ｍｍのときの実験の結果を、次の表６に示す。
【００７７】
【表６】
2015202081.tif 000008
４．評価
表４〜表６の毛の除去評価から、ペット用毛捕集ブラシ１４のブラシ４１の長さＨは５ｍｍ、８ｍｍ及び１５ｍｍの各々に対して、毛束３５におけるブラシ４１の本数が２本、３本、６本、８本及び１０本の各々において、ブラシ４１の長さＨに対する所定間隔３６の比率が０．６７、０．９及び１．２である場合には毛の除去評価が全て「○」となることが分かった。
【００７８】
よって、毛の除去の観点から、ペット用毛捕集ブラシ１４のブラシ４１の長さＨが５ｍｍ〜１５ｍｍのときに、毛束３５におけるブラシ４１の本数が２本〜１０本であり、ブラシ４１の長さＨに対する所定間隔３６の比率が０．６７〜１．２であることが好ましいことが分かった。又、このときに、毛の捕集及び保持の観点を加味すると、毛束３５におけるブラシ４１の本数が３本〜１０本であり、ブラシ４１の長さＨに対する所定間隔３６の比率が０．６７〜１．２であることがより好ましいことが分かっている。
【００７９】
尚、上記の各実施例では、ペット用毛捕集ブラシの実験対象となる動物は、短毛種でアンダーコートを有する３歳の特定の日本猫であったが、アンダーコートを有する動物であれば同様の効果を奏することが確認されており、それ以外の動物であっても良い。
【００８０】
又、上記の第２及び第３の実施例では、ペット用毛捕集ブラシのブラシの断面の直径は、特定の値であったが、０．０１ｍｍ〜０．１ｍｍの範囲であれば同様の実験結果を得ている。
【００８１】
更に、上記の各実施例では、ペット用毛捕集ブラシのブラシは、ＰＥＴから形成されたものであったが、ブラシの断面積にその曲げ弾性率を掛けた値が０．０３２８ｋｇｆ〜９．１１０６ｋｇｆの範囲となるような合成樹脂であれば同様の実験結果を得ている。
【００８２】
更に、上記の第３の実施例では、ペット用毛捕集ブラシのブラシ間の隙間は、特定の値であったが、０．２ｍｍ〜２ｍｍの範囲であれば同様の実験結果を得ている。
【符号の説明】
【００８３】
１１〜１４…ペット用毛捕集ブラシ
１６…ベース
１７…表面
１８…ベース本体
２２…シート体
３１…ブラシ群
３５…毛束
３６…所定間隔
４１…ブラシ
４２…根元
４５…隙間
尚、各図中同一符号は同一又は相当部分を示す。
【図１】
2015202081.tif 000009
【図２】
2015202081.tif 000010
【図３】
2015202081.tif 000011
【図４】
2015202081.tif 000012
【図５】
2015202081.tif 000013
【図６】
2015202081.tif 000014
【図７】
2015202081.tif 000015
【図８】
2015202081.tif 000016
【図９】
2015202081.tif 000017
【図１０】
2015202081.tif 000018
【図１１】
2015202081.tif 000019
【図１２】
2015202081.tif 000020